(57)【要約】【課題】カセッテに接続されたケーブルがカセッテから外れることを抑制するとともに、カセッテを適正な撮影位置にセットしやすくすること。【解決手段】カセッテ１３０を収納するカセッテホルダー１４０には、把手１４０Ｂと、カセッテ１３０が収納された状態においてカセッテ用コネクタＸがカセッテ１３０から離脱しないようにカセッテ用コネクタＸを係止する係止部１４０Ａと、が設けられている。【選択図】図５
2012141535.tif 000002
【特許請求の範囲】
【請求項１】
電力の供給経路又は電気信号の転送経路の少なくとも一方を担うケーブルがカセッテ用コネクタを介して接続されて放射線画像データを取得する放射線画像検出カセッテを内部に収納するカセッテホルダーであって、
把手と、
前記放射線画像検出カセッテが収納された状態において前記カセッテ用コネクタが前記放射線画像検出カセッテから離脱しないよう、前記カセッテ用コネクタを係止する係止部と、
を有することを特徴とするカセッテホルダー。
【請求項２】
少なくとも、
入射した放射線に対応した電気信号を出力する検出部と、電力の供給経路又は電気信号の転送経路の少なくとも一方を担うケーブルが接続される接続部と、を備えた放射線画像検出カセッテと、
前記ケーブルの端部に設置され、前記ケーブルと前記接続部とを接続するカセッテ用コネクタと、
前記放射線画像検出カセッテと前記カセッテ用コネクタを収納し、把手と、前記放射線画像検出カセッテが収納された状態において前記カセッテ用コネクタが前記放射線画像検出カセッテから離脱しないよう前記カセッテ用コネクタを係止する係止部と、を備えるカセッテホルダーと、
から構成されることを特徴とするカセッテユニット。
【請求項３】
前記カセッテ用コネクタには磁石が設置されており、
前記接続部には前記磁石が吸着する磁性体が設置されていることを特徴とする請求項２に記載のカセッテユニット。
【請求項４】
前記カセッテ用コネクタにおいて、前記磁石の周辺に磁性体が設置されていることを特徴とする請求項３に記載のカセッテユニット。
【発明の詳細な説明】
【技術分野】
【０００１】
本発明は、カセッテホルダー及びカセッテユニットに関する。
【背景技術】
【０００２】
近年、被写体に放射線を照射し、被写体を透過した放射線を検出して放射線画像を得る方法として、デジタル方式のＦＰＤ（Ｆｌａｔ  Ｐａｎｅｌ  Ｄｅｔｅｃｔｏｒ）がある。ＦＰＤの一例としては、基板上に複数の検出素子を二次元的に配列し、被写体を透過した放射線が蛍光体（シンチレータ）に照射され、照射された放射線量に応じて発光する可視光を電荷に変換して光電変換素子に蓄積し、光電変換素子に蓄積した電荷を読み出すことにより放射線画像を得るものがある。このようなＦＰＤは撮影直後に放射線画像を得られるという即時性を有している。
【０００３】
ＦＰＤを用いた放射線画像撮影システムの例として、特許文献１に記載された技術がある。特許文献１に記載された放射線画像撮影システムでは、ＦＰＤカセッテ内にバッテリを設け、ケーブルを介さず無線によりコンソール等の外部装置と各種信号を送受信したり、ケーブルを接続して有線により電力供給や各種信号の送受信を行ったりしている。つまり、特許文献１に記載された放射線画像撮影システムでは、無線又は有線の２方式により放射線画像を撮影している。
【０００４】
特許文献１に記載された放射線画像撮影システムのように、ＦＰＤカセッテにケーブルを接続して有線により放射線画像を撮影する場合、放射線画像の撮影中や画像データの転送中にケーブルが外れてしまうと、再度撮影動作が必要となったり、ＦＰＤカセッテが故障したりする可能性がある。そこで、特許文献２に記載された技術のように、ＦＰＤカセッテからケーブルが外れないよう、ロック機構を設ける技術もある。
【先行技術文献】
【特許文献】
【０００５】
【特許文献１】特開２００９−２９７１８７号公報
【特許文献２】特開２００７−１９５６３４号公報
【発明の概要】
【発明が解決しようとする課題】
【０００６】
ところで、ＦＰＤカセッテは、ＣＲ（Ｃｏｍｐｕｔｅｄ  Ｒａｄｉｏｇｒａｐｈｙ）システム等における既存の撮影装置にも使用可能にするため、ＪＩＳ規格に準拠したサイズとなっているものがあるが、このようなサイズのＦＰＤカセッテは大きさの制約があるため、ケーブルが外れないようにするためのロック機構（特許文献２参照）を設けるスペースが確保しづらい。
【０００７】
また、回診撮影時に、被検者とベッドとの間にＦＰＤカセッテを挿入する場合があるが、ＪＩＳ規格に準拠したサイズのＦＰＤカセッテは、四角い箱状の形態を成しているため掴みづらく、被検者からの荷重がかかる状態においてＦＰＤカセッテを被検者とベッドとの間の適正な撮影位置にセットすることは難しい。
【０００８】
そこで、本発明の目的は、カセッテに接続されたケーブルがカセッテから外れることを抑制するとともに、カセッテを適正な撮影位置にセットしやすくするカセッテホルダー及びカセッテユニットを提供することにある。
【課題を解決するための手段】
【０００９】
上記目的を達成するため、本発明に係るカセッテホルダーは、
電力の供給経路又は電気信号の転送経路の少なくとも一方を担うケーブルがカセッテ用コネクタを介して接続されて放射線画像データを取得する放射線画像検出カセッテを内部に収納するカセッテホルダーであって、
把手と、
前記放射線画像検出カセッテが収納された状態において前記カセッテ用コネクタが前記放射線画像検出カセッテから離脱しないよう、前記カセッテ用コネクタを係止する係止部と、
を有することを特徴とするものである。
【００１０】
また、本発明に係るカセッテユニットは、
少なくとも、
入射した放射線に対応した電気信号を出力する検出部と、電力の供給経路又は電気信号の転送経路の少なくとも一方を担うケーブルが接続される接続部と、を備えた放射線画像検出カセッテと、
前記ケーブルの端部に設置され、前記ケーブルと前記接続部とを接続するカセッテ用コネクタと、
前記放射線画像検出カセッテと前記カセッテ用コネクタを収納し、把手と、前記放射線画像検出カセッテが収納された状態において前記カセッテ用コネクタが前記放射線画像検出カセッテから離脱しないよう前記カセッテ用コネクタを係止する係止部と、を備えるカセッテホルダーと、
から構成されることを特徴とするものである。
【発明の効果】
【００１１】
本発明に係るカセッテホルダー及びカセッテユニットによれば、カセッテに接続されたケーブルがカセッテから外れることを抑制するとともに、カセッテを適正な撮影位置にセットしやすい。
【図面の簡単な説明】
【００１２】
【図１】放射線撮影システムを示す概略図である。
【図２】カセッテ装着部に装着されたカセッテと、ケーブルとの接続状態を示す説明図である。
【図３】カセッテ用コネクタの拡大斜視図である。
【図４】カセッテの拡大斜視図である。
【図５】カセッテユニットを示す斜視図である。
【図６】カセッテホルダーの側面図である。
【図７】カセッテホルダーの変形例を示す側面図である。
【図８】図５における矢印ｂの方向からみた係止部の側面図である。
【図９】係止部の部分断面図である。
【発明を実施するための形態】
【００１３】
［放射線撮影システムの概要］
図１は、放射線撮影システム１を示す概略図である。図１に示すように、放射線撮影システム１は、破線で囲まれた放射線撮影装置１０と、コンソール２０と、管理サーバ３０により構成されている。
【００１４】
破線で囲まれた放射線撮影装置１０は、臥位撮影台１２０を用いて患者Ｐに関する放射線画像を撮影する装置である（なお、臥位撮影台ではなく、立位撮影台であってもよい）。放射線撮影装置１０は、放射線照射部１１０と、臥位撮影台１２０と、カセッテ（放射線画像検出カセッテ）１３０と、カセッテ用コネクタＸと、ケーブルＣＢ等により構成されている。
【００１５】
放射線照射部１１０は、放射線画像を撮影する場合、コンソール２０の制御信号に基づいて臥位撮影台１２０に横たわっている患者Ｐに向けて放射線を照射する。
【００１６】
患者Ｐと臥位撮影台１２０との間にセットされたカセッテ１３０は、放射線照射部１１０から照射して患者Ｐを透過した放射線を検出して放射線画像データを取得する。なお、図１では示していないが、カセッテ１３０を患者Ｐと臥位撮影台１２０との間にセットする場合は、カセッテ１３０をカセッテホルダー１４０の内部に収納した状態でセットする。この点についての詳しい説明は後述する。
【００１７】
カセッテ１３０は、内部に検出部１３１（図２参照）を有している。検出部１３１の構造を説明すると、基板上に複数の検出素子が二次元的に配列され、照射された放射線量に応じて発光する可視光を電荷に変換して光電変換素子に蓄積し、光電変換素子に蓄積した電荷を読み出すことにより放射線画像データである電気信号を出力する。
【００１８】
カセッテ１３０の放射線入射方向の厚さは１６ｍｍ以下であり、従来のスクリーン／フィルム用のカセッテにおける規格（ＪＩＳ  Ｚ  ４９０５）に準拠するサイズ（１５ｍｍ＋１ｍｍであり、かつ１５ｍｍ−２ｍｍ）の範囲内となっている（ＪＩＳ  Ｚ  ４９０５に対応する国際規格は、ＩＥＣ  ６０４０６である）。
【００１９】
コンソール２０は、主にカセッテ１３０の動作を制御する制御端末であり、カセッテ１３０で取得された放射線画像データに画像処理を行う。また、コンソール２０は、カセッテ１３０に対する電力供給も行っている。
【００２０】
カセッテ１３０とコンソール２０は、端部にカセッテ用コネクタＸが設置されたケーブルＣＢにより接続されている（図１では接続状態を簡易的に示している）。放射線撮影装置１０において、カセッテ１３０とコンソール２０がケーブルＣＢにより接続された状態で放射線画像が撮影される。
【００２１】
カセッテ１３０で取得した放射線画像データは、ケーブルＣＢを通じてコンソール２０に転送される。また、カセッテ１３０に対する制御信号は、ケーブルＣＢを通じてコンソール２０からカセッテ１３０に転送される。更に、カセッテ１３０を動作させるための電力が、ケーブルＣＢを通じてコンソール２０からカセッテ１３０に供給されている。つまり、本実施形態におけるケーブルＣＢは、電気信号の転送経路及び電力の供給経路を担っている。
【００２２】
管理サーバ３０は、放射線撮影に関する情報を管理する機能を有する。
【００２３】
コンソール２０と管理サーバ３０は相互にネットワークＮを通じて接続されている。なお、ここでは図示してないが、放射線撮影システム１は、被写体診断情報や会計情報を一元管理するＨＩＳ（Ｈｏｓｐｉｔａｌ  Ｉｎｆｏｒｍａｔｉｏｎ  Ｓｙｓｔｅｍ）や放射線診療の情報を管理するＲＩＳ（Ｒａｄｉｏｌｏｇｙ  Ｉｎｆｏｒｍａｔｉｏｎ  Ｓｙｓｔｅｍ）とネットワークＮを介して接続されている。ネットワークＮは、当該システム専用の通信回線であってもよいが、システム構成の自由度が低くなってしまう等の理由のため、イーサネット（登録商標）等の既存の回線である方が好ましい。
【００２４】
［カセッテとケーブルとの接続］
次にカセッテ１３０とケーブルＣＢとの接続について詳しく説明する。図２は、カセッテ１３０と、ケーブルＣＢとの接続状態を示す説明図である。
【００２５】
カセッテ１３０には検出部１３１と接続部１３２が設置されている。図２に示すように、ケーブルＣＢの端部にはカセッテ用コネクタＸが設置されており、カセッテ用コネクタＸが接続部１３２に接続される。カセッテ用コネクタＸと接続部１３２は、磁石による吸引力により接続される。以下、磁石により接続される構造を説明する。
【００２６】
図３は、カセッテ用コネクタＸの拡大斜視図である。
【００２７】
ケーブルＣＢの端部に設置されたカセッテ用コネクタＸは、主に磁石Ｘ１と、コネクタ端子Ｘ２と、シールド部材Ｘ３により構成されている。
【００２８】
磁石Ｘ１は、カセッテ用コネクタＸとカセッテ１３０における接続部１３２とを吸着させるものである。コネクタ端子Ｘ２は、後述するカセッテ端子１３２ａに接続される（図３ではコネクタ端子Ｘ２の構造を簡略して示している）。コネクタ端子Ｘ２は、電気信号転送用の端子であり、且つ電力供給用の端子である。
【００２９】
シールド部材Ｘ３は、磁石Ｘ１の周辺に設置されており、磁石Ｘ１の磁力線が外部に漏れないようにシールドしている。シールド部材Ｘ３は磁性体であり、例えば、鉄、ステンレス鋼等により形成されている。
【００３０】
図４は、カセッテ１３０の拡大斜視図である。
【００３１】
カセッテ１３０の端部には接続部１３２が設置されており、接続部１３２は主にカセッテ端子１３２ａと、磁性板１３２ｂにより構成されている。
【００３２】
カセッテ端子１３２ａは、前述したコネクタ端子Ｘ２に接続される。磁性板１３２ｂはシールド部材Ｘ３と同様に磁性体であり、例えば、鉄、ステンレス鋼等により形成されている。
【００３３】
カセッテ用コネクタＸと接続部１３２は、図３、図４に示す構造であり、カセッテ用コネクタＸが接続部１３２に接続される際に、カセッテ用コネクタＸの磁石Ｘ１が、カセッテ１３０の磁性板１３２ｂに吸着する。その結果、コネクタ端子Ｘ２とカセッテ端子１３２ａを接続され、電力の供給経路と電気信号の転送経路が形成される。
【００３４】
放射線撮影装置１０（図１参照）では、カセッテ１３０とコンソール２０がケーブルＣＢにより接続された状態で放射線画像を撮影するが、カセッテ用コネクタＸに設置された磁石Ｘ１の吸引力によりカセッテ用コネクタＸと接続部１３２が接続されるので、手間なくカセッテ１３０とケーブルＣＢを接続出来る。
【００３５】
また、カセッテ用コネクタＸの方に磁石Ｘ１を設置し、その周辺をシールド部材Ｘ３で覆っているため、例えばペースメーカー等を埋め込んだ患者Ｐの放射線画像を撮影する場合でも、シールド部材Ｘ３により磁石Ｘ１の磁力線が外部に漏れず、磁石Ｘ１が患者Ｐの近くにあっても悪影響を与えることはない。
【００３６】
［カセッテユニット］
次にカセッテ１３０を収納するカセッテホルダー１４０等から構成されるカセッテユニットＣＵについて図５〜図８を用いて説明する。
【００３７】
前述したように、カセッテ１３０は患者Ｐと臥位撮影台１２０との間にセットされ、患者Ｐを透過した放射線を検出して放射線画像データを取得するが、カセッテ１３０のセット状態をより詳しく説明すると、カセッテ１３０とカセッテ用コネクタＸが接続された状態でカセッテホルダー１４０の内部に収納され、カセッテユニットＣＵとして患者Ｐと臥位撮影台１２０との間にセットされる。
【００３８】
図５は、カセッテユニットＣＵを示す斜視図である。
【００３９】
図５に示すように、カセッテユニットＣＵは、少なくとも、カセッテ１３０と、カセッテ用コネクタＸと、カセッテホルダー１４０から構成されている。
【００４０】
カセッテホルダー１４０は、第１外装部１４１と第２外装部１４２から構成されており、カセッテ１３０とカセッテ用コネクタＸを内部に収納している。
【００４１】
図６は、カセッテホルダー１４０の側面図である。図６（ａ）は、図５に示す矢印ａの方向からみたカセッテホルダー１４０の側面図であり、図６（ｂ）は、図５における矢印ｂの方向からみたカセッテホルダー１４０を開放させた状態の側面図である。
【００４２】
第１外装部１４１と第２外装部１４２は結合部ＣＮにより結合されており、第１外装部１４１と第２外装部１４２と結合部ＣＮは樹脂材（例えばＡＢＳ樹脂、ポリカーボネート樹脂、ポリエチレン樹脂等）によりブロー成型で一体的に形成されている。結合部ＣＮを支点として、図５や図６（ｂ）に示す矢印Ｚの方向に第１外装部１４１が第２外装部１４２に対して回動する。その結果、カセッテホルダー１４０の内部が開放され、カセッテ１３０とカセッテ用コネクタＸが接続された状態でカセッテホルダー１４０の内部に収納可能となる。
【００４３】
カセッテホルダー１４０は軽量化されることが望ましく、本実施形態のようにカセッテホルダー１４０は樹脂材により形成されているため軽量となり、撮影技師が持ち運びやすい。また、カセッテホルダー１４０は樹脂材によりブロー成形で一体的に形成されているため低コストとなり、例えばカセッテホルダー１４０が汚れたり傷ついたりした場合にカセッテホルダーごと交換することが可能となる。
【００４４】
なお、図７に示す変形例のように、第１外装部１４１と第２外装部１４２をヒンジＨＧにより結合し、ヒンジＨＧの部分を支点として第１外装部１４１が第２外装部１４２に対して回動するような形態であっても良い。
【００４５】
図５に示すように、カセッテホルダー１４０において、カセッテ用コネクタＸが収納される部分には係止部１４０Ａが設けられている。図８は、図５における矢印ｂの方向からみた係止部１４０Ａの側面図である。
【００４６】
図８に示すように、係止部１４０Ａの側面にはケーブル孔Ｈが設置されており、カセッテ用コネクタＸがカセッテホルダー１４０に収納された状態でケーブルＣＢがケーブル孔Ｈを通って図１に示すコンソール２０と接続される。
【００４７】
図９は、係止部１４０Ｂの部分断面図である。
【００４８】
図９に示すように、カセッテ用コネクタＸがカセッテホルダー１４０に収納された状態において、係止部１４０Ａの内壁がカセッテ用コネクタＸに接触している。従って、例えばケーブルＣＢが図９の矢印方向に引っ張られても、係止部１４０Ａがカセッテ用コネクタＸの動きを規制し、カセッテ用コネクタＸがカセッテ１３０から離脱することはない。
【００４９】
カセッテ１３０は互換性確保のためにＪＩＳ規格に沿ったサイズとなっており、大きさの制約上、カセッテ用コネクタＸが外れないようにするためのロック機構を設けることは出来ないが、カセッテ１３０をカセッテホルダー１４０に収納することにより係止部１４０Ａがカセッテ用コネクタＸの動きを規制するため、カセッテ用コネクタＸやケーブルＣＢがカセッテ１３０から離脱することを抑制出来る。
【００５０】
また、図５に示すように、カセッテホルダー１４０の一部には把手１４０Ｂが設置されている。カセッテ１３０は四角い箱状の形態を成しているため掴みづらいが、カセッテホルダー１４０の把手１４０Ｂを撮影技師が持つことにより、患者Ｐの荷重がかかる状態においてカセッテ１３０を患者Ｐと臥位撮影台１２０との間の適正な撮影位置にセットしやすくなる。
【００５１】
以上、図５〜図９で説明したように、係止部１４０Ａと把手１４０Ｂを設けたカセッテホルダー１４０にカセッテ１３０とカセッテ用コネクタＸが収納されてカセッテユニットＣＵが構成されるため、カセッテ１３０に接続されたカセッテ用ケーブルＸやケーブルＣＢがカセッテ１３０から外れることを抑制するとともに、カセッテ１３０を適正な撮影位置にセットしやすくすることが出来る。
【００５２】
なお、本発明は当該実施の形態に限定されるものではなく、本発明の要旨を逸脱しない範囲における変更や追加があっても本発明に含まれる。
【００５３】
図１に示す本実施形態では、ケーブルＣＢが電力の供給経路及び電気信号の転送経路を担っているが、本発明はこれに限らず、ケーブルＣＢが電力の供給経路又は電気信号の転送経路の少なくとも一方を担うものであれば良い。具体的に説明すると、例えば、ケーブルＣＢが電力の供給経路を担っているが、放射線画像データの転送は無線によりカセッテ１３０からコンソール２０に転送するような形態であったり、ケーブルＣＢが放射線画像電気信号の転送経路を担っているが、カセッテ１３０には充電池が設置されており、カセッテ１３０をクレードルにセットして充電池に電力を充電するような形態であったりしてもよい。
【符号の説明】
【００５４】
１  放射線撮影システム
１０  放射線撮影装置
２０  コンソール
３０  管理サーバ
１１０  放射線照射部
１２０  臥位撮影台
１３０  カセッテ
１４０  カセッテホルダー
１４０Ａ  係止部
１４０Ｂ  把手
１４１  第１外装部
１４２  第２外装部
１３１  検出部
１３２  接続部
１３２ａ  カセッテ端子
１３２ｂ  磁性板
ＣＢ  ケーブル
Ｘ  カセッテ用コネクタ
Ｘ１  磁石
Ｘ２  コネクタ端子
Ｘ３  シールド部材
【図１】
2012141535.tif 000003
【図２】
2012141535.tif 000004
【図３】
2012141535.tif 000005
【図４】
2012141535.tif 000006
【図５】
2012141535.tif 000007
【図６】
2012141535.tif 000008
【図７】
2012141535.tif 000009
【図８】
2012141535.tif 000010
【図９】
2012141535.tif 000011